(57)【要約】【課題】  無線メッシュ網で効率的にフレームを伝送する方法及び装置を提供する。【解決手段】  移動ステーションのアドレスから移動ステーションが位置した無線ＬＡＮの通信を管理する移動ノードのアドレスを獲得し、このように獲得された移動ノードのアドレスを使用することによって、移動ノードを備える移動ノードの網を通じて移動ステーションを目的地とするフレームを伝送する。これにより、データフレームフォワーディングの処理時間及び無線通信資源などのコストを低減し、非常に効率的なデータ伝送を支援できるメカニズムを提供できる。【選択図】      図３
2006304301.tif 000002
【特許請求の範囲】
【請求項１】
（ａ）移動ステーションのアドレスから前記移動ステーションが位置した無線ＬＡＮの通信を管理する移動ノードのアドレスを獲得するステップと、
（ｂ）前記獲得された移動ノードのアドレスを使用することによって、前記移動ノードを備える移動ノードの網を通じて前記移動ステーションを目的地とするフレームを伝送するステップとを含むことを特徴とするフレームの伝送方法。
【請求項２】
前記移動ステーションのアドレスは、前記移動ノードが前記無線ＬＡＮを通じて前記移動ステーションに前記フレームから変換された無線ＬＡＮフレームを伝送する場合、前記移動ノードにより参照されることを特徴とする請求項１に記載のフレームの伝送方法。
【請求項３】
前記移動ステーションのアドレスに前記移動ノードのアドレスを付加することによって、前記移動ステーションのアドレスをカプセル化するステップをさらに含み、
前記カプセル化された移動ステーションのアドレスは、前記フレームを受信した移動ノードが前記移動ノードの網を通じて前記フレームを伝送する場合、前記フレームを受信した移動ノードにより参照されないことを特徴とする請求項１に記載のフレームの伝送方法。
【請求項４】
所定のルーティングプロトコルによって前記移動ノードの網での次のホップを決定するステップをさらに含み、
前記（ｂ）ステップは、前記ルーティング部により決定された次のホップに前記フレームを伝送することを特徴とする請求項１に記載のフレームの伝送方法。
【請求項５】
前記移動ノードのうち、前記移動ノードを備える一部は、前記移動ノードの網でのノードとしての役割のみを行い、前記一部を除いた他の一部は、前記移動ノードの網でのノードとしての役割を行うと同時に、前記無線ＬＡＮを備える無線ＬＡＮそれぞれの通信を管理するアクセスポイントとしての役割を行うことを特徴とする請求項１に記載のフレームの伝送方法。
【請求項６】
移動ステーションのアドレスから前記移動ステーションが位置した無線ＬＡＮの通信を管理する移動ノードのアドレスを獲得するアドレス獲得部と、
前記アドレス獲得部により獲得された移動ノードのアドレスを使用することによって、前記移動ノードを備える移動ノードの網を通じて前記移動ステーションを目的地とするフレームを伝送する伝送部とを備えることを特徴とするフレームの伝送装置。
【請求項７】
移動ステーションのアドレスから前記移動ステーションが位置した無線ＬＡＮの通信を管理する移動ノードのアドレスを獲得するステップと、
前記獲得された移動ノードのアドレスを使用することによって、前記移動ノードを備える移動ノードの網を通じて前記移動ステーションを目的地とするフレームを伝送するステップとを含むことを特徴とするフレームの伝送方法をコンピュータで実行させるためのプログラムを記録したコンピュータで読み取り可能な記録媒体。
【請求項８】
（ａ）移動ステーションが位置した無線ＬＡＮの通信を管理する移動ノードのアドレスを参照することによって、前記移動ノードを備える移動ノードの網を通じて前記移動ステーションを目的地とするフレームを受信するステップと、
（ｂ）前記移動ノードのアドレスを使用することによって、前記移動ノードの網を通じて前記受信されたフレームを伝送するステップと、を含むことを特徴とするフレームの中継方法。
【請求項９】
前記移動ステーションのアドレスは、前記移動ノードが前記無線ＬＡＮを通じて前記移動ステーションに前記フレームから変換された無線ＬＡＮフレームを伝送する場合、前記移動ノードにより参照されることを特徴とする請求項８に記載のフレームの中継方法。
【請求項１０】
前記移動ステーションのアドレスは、前記移動ノードのアドレスによりカプセル化されており、
前記（ａ）ステップは、前記カプセル化された移動ステーションのアドレスを参照せず、前記移動ノードの網を通じて受信することを特徴とする請求項８に記載のフレームの中継方法。
【請求項１１】
所定のルーティングプロトコルによって前記移動ノードの網での次のホップを決定するステップをさらに含み、
前記（ｂ）ステップは、前記決定された次のホップに前記フレームを伝送することを特徴とする請求項８に記載のフレームの中継方法。
【請求項１２】
前記移動ノードのうち、前記移動ノードを備える一部は、前記移動ノードの網でのノードとしての役割のみを行い、前記一部を除いた他の一部は、前記移動ノードの網でのノードとしての役割を行うと同時に、前記無線ＬＡＮを備える無線ＬＡＮのそれぞれの通信を管理するアクセスポイントとしての役割を行うことを特徴とする請求項８に記載のフレームの中継方法。
【請求項１３】
移動ステーションが位置した無線ＬＡＮの通信を管理する移動ノードのアドレスを参照することによって、前記移動ノードを備える移動ノードの網を通じて前記移動ステーションを目的地とするフレームを受信する受信部と、
前記移動ノードのアドレスを使用することによって、前記移動ノードの網を通じて前記受信部に受信されたフレームを伝送する伝送部とを備えることを特徴とするフレームの中継装置。
【請求項１４】
請求項８ないし請求項１２のうち何れか１項に記載の方法をコンピュータで実行させるためのプログラムを記録したコンピュータで読み取り可能な記録媒体。
【請求項１５】
（ａ）移動ステーションが位置した無線ＬＡＮの通信を管理する移動ノードのアドレスを参照することによって、前記移動ステーションを目的地とするフレームを、前記移動ノードを備える移動ノードの網を通じて受信するステップと、
（ｂ）前記移動ステーションのアドレスを使用することによって、前記受信されたフレームから変換された無線ＬＡＮフレームを、前記無線ＬＡＮを通じて前記移動ステーションに伝送するステップとを含むことを特徴とするフレームの受信方法。
【請求項１６】
前記移動ステーションのアドレスは、前記移動ノードのアドレスによりカプセル化され、
前記（ａ）ステップは、前記カプセル化された移動ステーションのアドレスを参照せず、前記移動ノードの網を通じて受信することを特徴とする請求項１５に記載のフレームの受信方法。
【請求項１７】
前記移動ステーションのアドレスに付加された移動ノードのアドレスを除去することによって、前記移動ステーションのアドレスを逆カプセル化するステップをさらに含み、
前記逆カプセル化された移動ステーションのアドレスは、前記フレームを受信した移動ノードが前記無線ＬＡＮを通じて前記移動ステーションに、前記フレームから変換された無線ＬＡＮフレームを伝送する場合、前記移動ノードにより参照されることを特徴とする請求項１５に記載のフレームの受信方法。
【請求項１８】
前記移動ノードのうち、前記移動ノードを備える一部は、前記移動ノードの網でのノードとしての役割のみを行い、前記一部を除いた他の一部は、前記移動ノードの網でのノードとしての役割を行うと同時に、前記無線ＬＡＮを備える無線ＬＡＮのそれぞれの通信を管理するアクセスポイントとしての役割を行うことを特徴とする請求項１５に記載のフレームの中継方法。
【請求項１９】
移動ステーションが位置した無線ＬＡＮの通信を管理する移動ノードのアドレスを参照することによって、前記移動ステーションを目的地とするフレームを、前記移動ノードを備える移動ノードの網を通じて受信する受信部と、
前記移動ステーションのアドレスを使用することによって、前記受信部に受信されたフレームから変換された無線ＬＡＮフレームを、前記無線ＬＡＮを通じて前記移動ステーションに伝送する伝送部と、を備えることを特徴とするフレームの受信装置。
【請求項２０】
移動ステーションが位置した無線ＬＡＮの通信を管理する移動ノードのアドレスを参照することによって、前記移動ステーションを目的地とするフレームを、前記移動ノードを備える移動ノードの網を通じて受信するステップと、
前記移動ステーションのアドレスを使用することによって、前記受信されたフレームから変換された無線ＬＡＮフレームを、前記無線ＬＡＮを通じて前記移動ステーションに伝送するステップと、を含むことを特徴とするフレームの受信方法をコンピュータで実行させるためのプログラムを記録したコンピュータで読み取り可能な記録媒体。
【請求項２１】
無線ネットワークに連結された第１移動ステーションから無線ＬＡＮフレームを受信するステップと、
前記受信された無線ＬＡＮフレームから第２移動ステーションに伝送される無線ＬＡＮフレームを生成するステップと、
前記第２移動ステーションのＭＡＣアドレスから移動ノードのＭＡＣアドレスを獲得するステップと、
前記第２移動ステーションのＭＡＣアドレスをカプセル化するステップと、
所定ルーティングプロトコルによって次のホップを決定し、前記次のホップに対応する移動ノードに伝送される無線メッシュ網フレームを生成するステップと、
前記無線メッシュ網フレームを伝送するステップとを含むことを特徴とするフレームの伝送方法。
【請求項２２】
無線メッシュ網フレームに含まれた無線ネットワーク内の移動ノードのＭＡＣアドレスを参照することによって、前記無線ネットワーク内の移動ステーションを目的地とする無線メッシュ網フレームを受信するステップと、
目的地移動ステーションをさらに他の移動ノードに属すると確認するステップと、
所定のルーティングプロトコルによって次のホップを決定するステップと、
前記次のホップに対応する移動ノードに伝送される無線メッシュ網フレームを生成するステップと、
前記無線メッシュ網フレームを伝送するステップとを含むことを特徴とするフレームの伝送方法。
【請求項２３】
無線メッシュ網フレームに含まれた無線ネットワーク内の移動ノードのＭＡＣアドレスを参照することによって、前記無線ネットワーク内の移動ステーションを目的地とする無線メッシュ網フレームを受信するステップと、
目的地移動ステーションを前記移動ノードに属すると確認するステップと、
前記移動ステーションのＭＡＣアドレスを逆カプセル化するステップと、
前記目的地移動ステーションに伝送される無線メッシュ網フレームを生成するステップと、
前記目的地移動ステーションに前記無線メッシュ網フレームを伝送するステップとを含むことを特徴とするフレームの伝送方法。
【請求項２４】
発信地ステーションとしての役割を行い、第１  ＭＡＣアドレスを有する無線ネットワークに連結された第１移動ステーションと、
ＢＳＳ内の移動ステーションの通信を管理し、第２  ＭＡＣアドレスを有する前記無線ネットワークに連結された第１移動ノードと、
前記ＢＳＳ内に位置し、第３  ＭＡＣアドレスを有する前記無線ネットワークに連結された第２移動ステーションとを備え、
前記発信地ステーションは、第２  ＭＡＣアドレスを使用してフレーム内の前記第３  ＭＡＣアドレスをカプセル化し、前記フレームを伝送することを特徴とするフレーム伝送メカニズム。
【請求項２５】
前記第２  ＭＡＣアドレスのみを参照することによって、前記第１移動ステーションから第１移動ノードに前記フレームをルーティングする第２移動ノードをさらに備えることを特徴とする請求項２４に記載のフレーム伝送メカニズム。
【請求項２６】
前記第１移動ノードは、前記フレームを受信し、逆カプセル化により前記第３  ＭＡＣアドレスを確認し、前記第２  ＭＡＣアドレスのみを参照することによって、前記第２移動ステーションに前記フレームを伝送する第２移動ノードをさらに備えることを特徴とする請求項２４に記載のフレーム伝送メカニズム。
【請求項２７】
無線で移動ノードが相互連結された無線メッシュ網のアクセスポイントでのデータ伝送支援装置において、
目的地移動ステーションを含むネットワーク内のＢＳＳの通信を管理する移動ノードのアドレスのみを参照することによって、前記無線メッシュ網を通じてフレーム伝送を許容するメカニズムを含むことを特徴とする装置。
【発明の詳細な説明】
【技術分野】
【０００１】
本発明は、アクセスポイントが移動ノードとして無線で連結される場合のデータ伝送を支援できるメカニズムに関する。
【背景技術】
【０００２】
図１は、従来の無線通信環境を示す図である。図１に示すように、従来の無線通信環境は、アクセスポイント１０，２０，３０及び移動ステーション１１〜１９から構成される。移動ステーション１１〜１３は、アクセスポイント１０に連結されて一つのＢＳＳ（ベーシックサービスセット）を形成し、移動ステーション１４〜１６は、アクセスポイント２０に連結されて一つのＢＳＳを形成し、移動ステーション１７，１８は、アクセスポイント３０に連結されて一つのＢＳＳを形成する。
【０００３】
ＩＥＥＥ  ８０２.１１の無線ＬＡＮ規格によると、ＢＳＳは、互いに通信できる領域内の移動ステーションの集合をいう。移動ステーションから出力される信号の伝達距離の不確実性によって、ＢＳＳは、ある特定の領域を表さない。また、ＩＥＥＥ  ８０２.１１の無線ＬＡＮ規格によると、このようなＢＳＳの集合をＥＳＳ（エクステンデッドサービスセット）という。
【０００４】
アクセスポイント１０，２０，３０のそれぞれは、ポータルモジュール及びマネジャーモジュールを有している。アクセスポイント１０，２０，３０のそれぞれは、自身が管理するＢＳＳに位置した移動ステーションから無線ＬＡＮフレームを受信した場合、この無線ＬＡＮフレームの目的地が自身が管理するＢＳＳに位置すれば、マネジャーモジュールがこの無線ＬＡＮフレームを目的地移動ステーションに伝送する。しかし、この無線ＬＡＮフレームの目的地が、自身が管理しない他のＢＳＳに位置すれば、アクセスポイント１０，２０，３０のそれぞれは、ポータルモジュールを通じて目的地移動ステーションに到着せしめる。このために、アクセスポイント１０，２０，３０のそれぞれは、無線ＬＡＮフレームをポータルモジュールに伝送する。ポータルモジュールは、この無線ＬＡＮフレームのフォーマットを、目的地移動ステーションが位置したＢＳＳで使用される無線ＬＡＮフレームフォーマットに変換する。
【０００５】
しかし、前記従来の技術は、ＢＳＳの通信を管理するアクセスポイントが固定的ノードとして１０ｂａｓｅ−Ｔ、イーサネット（登録商標）のような有線ネットワークに連結された場合のデータ伝送のみを考慮したため、前記従来の技術には、このアクセスポイントが移動ノードとして無線で連結される場合のデータ伝送を支援できるメカニズムが提示されていないという問題点があった。
【発明の開示】
【発明が解決しようとする課題】
【０００６】
本発明が解決しようとする技術的課題は、アクセスポイントが移動ノードとして無線で連結される場合のデータ伝送を支援できるメカニズムに関する方法及び装置を提供することである。
【０００７】
また、前記方法をコンピュータで実行させるためのプログラムを記録したコンピュータで読み取り可能な記録媒体を提供することである。
【課題を解決するための手段】
【０００８】
前記技術的課題を解決するための本発明に係るフレームの伝送方法は、移動ステーションのアドレスから前記移動ステーションが位置した無線ＬＡＮの通信を管理する移動ノードのアドレスを獲得するステップと、前記獲得された移動ノードのアドレスを使用することによって、前記移動ノードを備える移動ノードの網を通じて前記移動ステーションを目的地とするフレームを伝送するステップとを含む。
【０００９】
前記他の技術的課題を解決するための本発明に係るフレームの伝送装置は、移動ステーションのアドレスから前記移動ステーションが位置した無線ＬＡＮの通信を管理する移動ノードのアドレスを獲得するアドレス獲得部と、前記アドレス獲得部により獲得された移動ノードのアドレスを使用することによって、前記移動ノードを備える移動ノードの網を通じて前記移動ステーションを目的地とするフレームを伝送する伝送部と、を備える。
【００１０】
前記さらに他の技術的課題を解決するために、本発明は、前記したフレームの伝送方法をコンピュータで実行させるためのプログラムを記録したコンピュータで読み取り可能な記録媒体を提供する。
【００１１】
前記さらに他の技術的課題を解決するための本発明に係るフレームの中継方法は、移動ステーションが位置した無線ＬＡＮの通信を管理する移動ノードのアドレスを参照することによって、前記移動ノードを備える移動ノードの網を通じて前記移動ステーションを目的地とするフレームを受信するステップと、前記移動ノードのアドレスを使用することによって、前記移動ノードの網を通じて前記受信されたフレームを伝送するステップとを含む。
【００１２】
前記さらに他の技術的課題を解決するための本発明に係るフレームの中継装置は、移動ステーションが位置した無線ＬＡＮの通信を管理する移動ノードのアドレスを参照することによって、前記移動ノードを備える移動ノードの網を通じて前記移動ステーションを目的地とするフレームを受信する受信部と、前記移動ノードのアドレスを使用することによって、前記移動ノードの網を通じて前記受信部に受信されたフレームを伝送する伝送部とを備える。
【００１３】
前記さらに他の技術的課題を解決するために、本発明は、前記したフレームの中継方法をコンピュータで実行させるためのプログラムを記録したコンピュータで読み取り可能な記録媒体を提供する。
【００１４】
前記さらに他の技術的課題を解決するための本発明に係るフレームの受信方法は、移動ステーションが位置した無線ＬＡＮの通信を管理する移動ノードのアドレスを参照することによって、前記移動ステーションを目的地とするフレームを、前記移動ノードを備える移動ノードの網を通じて受信するステップと、前記移動ステーションのアドレスを使用することによって、前記受信されたフレームから変換された無線ＬＡＮフレームを、前記無線ＬＡＮを通じて前記移動ステーションに伝送するステップとを含む。
【００１５】
前記さらに他の技術的課題を解決するための本発明に係るフレームの受信装置は、移動ステーションが位置した無線ＬＡＮの通信を管理する移動ノードのアドレスを参照することによって、前記移動ステーションを目的地とするフレームを、前記移動ノードを備える移動ノードの網を通じて受信する受信部と、前記移動ステーションのアドレスを使用することによって、前記受信部に受信されたフレームから変換された無線ＬＡＮフレームを、前記無線ＬＡＮを通じて前記移動ステーションに伝送する伝送部とを備える。
【００１６】
前記さらに他の技術的課題を解決するために、本発明は、前記されたフレームの受信方法をコンピュータで実行させるためのプログラムを記録したコンピュータで読み取り可能な記録媒体を提供する。
【発明の効果】
【００１７】
本発明によれば、アクセスポイントが、移動ノードとして無線で連結される場合のデータ伝送を支援できるメカニズムを提示し、特に、目的地移動ステーションが位置したＢＳＳの通信を管理する移動ノードのアドレスのみを参照して、無線メッシュ網を通じてフレームを伝送させることによって、データフレームフォワーディングの処理時間及び無線通信資源などのコストを低減し、非常に効率的なデータ伝送を支援できるメカニズムを提示する。
【００１８】
また、本発明によれば、移動ノードの無線ＬＡＮモジュールは、ＩＥＥＥ  ８０２.１１の無線ＬＡＮの規格と完壁に互換されるため、ＩＥＥＥ  ８０２.１１の無線ＬＡＮの規格による既存の移動ステーションに本発明がそのまま適用されて、移動ステーションの変動によるコストがかからない。また、本発明によれば、無線メッシュ網モジュールのみを有している純粋無線メッシュ網ノードも包容できる。
【発明を実施するための最良の形態】
【００１９】
以下では、図面を参照して本発明の望ましい実施形態を詳細に説明する。
【００２０】
図２は、本発明の望ましい一実施形態に係る無線通信環境を示す図である。図２に示すように、本実施形態に係る無線通信環境は、移動ノード（ＭＮ１〜ＭＮ２１〜２６及び移動ステーション（ＭＳ１〜ＭＳ８）２０１〜２０８から構成される。ＭＮ２１〜２６は、互いに連結されて一つの網を形成する。以下では、このようなＭＮ２１〜２６の網を無線メッシュ網と称す。本実施形態での移動ノードは、無線メッシュポイントのような他の用語で称され得るということを、当業者ならば理解できる。
【００２１】
また、ＭＳ１〜３  ２０１〜２０３は、ＭＮ１２１に連結されて一つのＢＳＳを形成し、ＭＳ４〜６  ２０４〜２０６は、ＭＮ５  ２５に連結されて一つのＢＳＳを形成し、ＭＳ７〜８  ２０７〜２０８は、ＭＮ６  ２６に連結されて一つのＢＳＳを形成する。特に、本実施形態の場合、ＢＳＳごとにこれを管理する移動ノードが存在し、移動ステーションは、このような移動ノードの中継を通じて他の移動ステーションと通信できる。
【００２２】
一方、無線メッシュ網は、これを構成する移動ノードの相互間に無線マルチホップで連結されて直接通信が可能であるため、何なるノードの中継なしにも移動ノードによる自体的形成が可能である。
【００２３】
無線メッシュ網を構成する移動ノードのうち、一部のＭＮ２２〜２４は、無線メッシュ網でただ一つのノードとしての役割を行うだけであるが、一部のＭＮ２１，２５，２６は、無線メッシュ網で一つのノードとしての役割を行うと同時に、自身が位置した無線ＬＡＮの通信を管理するアクセスポイントとしての役割も行う。
【００２４】
無線メッシュ網でただ一つのノードとしての役割のみを行うＭＮ２２〜２４は、無線メッシュ網モジュール２２１，２３１，２４１のみを備える。一方、無線メッシュ網で一つのノードとしての役割を行うと同時に、自身が位置した無線ＬＡＮの通信を管理するアクセスポイントとしての役割も行うＭＮ２１，２５，２６は、無線メッシュ網モジュール２１１，２５１，２６１及び無線ＬＡＮモジュール２１２，２５２，２６２を備える。
【００２５】
無線ＬＡＮモジュール２１２，２５２，２６２は、ＩＥＥＥ  ８０２.１１の無線ＬＡＮの規格と完壁に互換される。すなわち、無線ＬＡＮモジュール２１２，２５２，２６２は、移動ノードがＩＥＥＥ  ８０２.１１の無線ＬＡＮの規格によって自身が位置した無線ＬＡＮの通信を管理するアクセスポイントとしての役割を行うための機能を支援する。したがって、ＩＥＥＥ  ８０２.１１の無線ＬＡＮの規格による既存の移動ステーションは、いかなる変更なしにも本実施形態に適用され得る。
【００２６】
例えば、ＭＮ１  ２１は、ＩＥＥＥ  ８０２.１１の無線ＬＡＮの規格によってＭＳ１〜３  ２１１〜２１３を認証し、この認証過程を通過したＭＳ１〜３  ２１１〜２１３と結合する。次いで、ＭＮ１  ２１と結合したＭＳ１〜３  ２１１〜２１３は、他のステーションにフレームを伝送しようとするとき、ＭＮ１  ２１にフレームを伝送し、このフレームを受信したＭＮ１  ２１は、ＤＳ（ディストリビューションシステム）によってフレームを伝送することによって、このフレームを最終の目的地に該当する移動ステーションに到着せしめる。前記ＭＮ１  ２１以外にもＭＮ５  ２５及びＭＮ６  ２６にも前記内容が適用されるということを、当業者ならば理解できる。
【００２７】
ＩＥＥＥ  ８０２.１１の無線ＬＡＮの規格によれば、ＤＳは、ＭＮ１  ２１がＭＳ１〜３  ２１１〜２１３とフレームを交換し、ＭＮ１  ２１が位置したＢＳＳではない他のＢＳＳの移動ステーションとフレームを交換するために、他の移動ノードと通信するメカニズムを通称する用語である。特に、本実施形態でのＤＳは、無線メッシュ網を通じてフレームを交換するメカニズムを含む。
【００２８】
但し、従来のＩＥＥＥ  ８０２.１１の無線ＬＡＮの規格では、移動ステーションを管理するアクセスポイントが固定的ノードとしてポータルを通じて有線で他のアクセスポイントと連結されているが、本実施形態では、移動ステーションを管理するアクセスポイントが移動ノードとして無線メッシュ網を通じて無線で他のアクセスポイント、すなわち、他の移動ノードと連結される。
【００２９】
特に、本実施形態によれば、アクセスポイントが、移動ノードとして無線で連結される場合のデータ伝送を支援できるメカニズムであって、目的地に該当する移動ステーションのアドレスを参照せず、ひたすら目的地の移動ステーションが位置したＢＳＳの通信を管理する移動ノードのアドレスのみを参照しての無線メッシュ網を通じてフレームを伝送させるメカニズムが提案される。すなわち、無線メッシュ網の移動ノードは、フレームをルーティングするのにおいて、移動ステーションのアドレスを考慮しない。
【００３０】
移動ステーションは、多様な他のＢＳＳに対して前記認証及び結合を随時行うため、無線メッシュ網の移動ノードがフレームをルーティングするのにおいて、移動ステーションのアドレスを考慮すべきであるならば、移動ノードは、常に最新の移動ステーション情報をフォワーディングテーブルに保有せねばならず、このためには、全ての移動ノードに対して随時フォワーディングテーブルの移動ステーション情報の更新作業が行わなければならない。これは、データフレームフォワーディングの処理時間、無線通信資源などのコストが大きく上昇し、非常に非効率的なメカニズムと言える。
【００３１】
したがって、本実施形態では、前記のようなデータ伝送メカニズムを採用した。図２に示すように、発信地移動ステーションがＭＳ１  ２０１であり、目的地移動ステーションがＭＳ８  ２０８である場合を例として説明すれば、ＭＮ１  ２１は、ＭＳ８  ２０８が位置したＢＳＳの通信を管理するＭＮ６  ２６のアドレスを使用してＭＳ８  ２０８のアドレスをカプセル化し、フレームを伝送する。次いで、ＭＮ３  ２３は、ＭＮ６  ２６のアドレスのみを参照してフレームをルーティングする。次いで、ＭＮ６  ２６は、ＭＮ６  ２６のアドレスのみを参照してフレームを受信し、逆カプセル化過程を通じてＭＳ８  ２０８のアドレスを見出し、ＭＳ８  ２０にフレームを伝送する。
【００３２】
図３は、本発明の望ましい一実施形態に係る無線メッシュ網フレームの伝送装置の構成図である。図３に示すように、本実施形態に係る無線メッシュ網フレームの伝送装置は、ＭＮ１  ２１に搭載され、無線メッシュ網モジュール
２１１及び無線ＬＡＮモジュール２１２から構成される。前述したように、無線メッシュ網モジュール２１１は、無線メッシュ網でのノードとしての役割を行うための機能を支援し、無線ＬＡＮモジュール２１２は、ＭＮ１
２１が位置した無線ＬＡＮの通信を管理するアクセスポイントとしての役割を行うための機能を支援する。
【００３３】
無線ＬＡＮモジュール２１２は、無線ＬＡＮ送受信部３１、ＢＳＳステーションテーブル３２、及び無線ＬＡＮフレーム処理部３３から構成される。
【００３４】
無線ＬＡＮ送受信部３１は、自身が管理するＭＳ１〜３  ２０１〜２０３から無線ＬＡＮフレームを受信し、ＭＳ１〜３  ２０１〜２０３に無線ＬＡＮフレームを伝送する。
【００３５】
ＢＳＳステーションテーブル３２は、ＭＮ１  ２１が管理するＢＳＳに属するＭＳ１〜３  ２０１〜２０３に関する情報を保存する。ＭＳ１〜３  ２０１〜２０３に関する情報の代表的な例として、ＭＳ１〜３  ２０１〜２０３のＭＡＣ（メディアアクセスコントロール）アドレスが挙げられる。さらに詳細に説明すれば、ＢＳＳステーションテーブル３２は、認証及び結合に関連したフレームからＭＳ１〜３  ２０１〜２０３に関する情報を獲得し、このように獲得された情報を保存する。
【００３６】
無線ＬＡＮフレーム処理部３３は、無線ＬＡＮフレーム送受信部３１に受信された無線ＬＡＮフレームを分析し、その分析結果に基づいて無線ＬＡＮフレームを処理するか、または無線ＬＡＮ送受信部３１により伝送される無線ＬＡＮフレームを生成する。特に、本実施形態での無線ＬＡＮフレーム処理部３３は、無線ＬＡＮ送受信部３１に受信された無線ＬＡＮフレームが認証及び結合などに関連したフレームであるか、それとも実質的なデータを含むデータフレームであるかを見出すために無線ＬＡＮフレームを分析し、その分析結果に基づいて認証及び結合過程などを行う。また、本実施形態での無線ＬＡＮフレーム処理部３３は、ＢＳＳステーションテーブル３２の移動ステーション情報を参照して、無線ＬＡＮフレーム送受信部３１に受信された無線ＬＡＮフレームから目的地移動ステーションに伝送される無線ＬＡＮフレームを生成する。
【００３７】
無線メッシュ網モジュール２１１は、ＥＳＳステーションテーブル３４、アドレス獲得部３５、カプセル化部３６、ルーティング部３７、フォワーディングテーブル３８、無線メッシュ網フレーム処理部３９、及び無線メッシュ網送受信部３１０から構成される。
【００３８】
ＥＳＳステーションテーブル３４は、本実施形態での全てのＢＳＳの集合であるＥＳＳに属するＭＳ１〜８  ２０１〜２０８に関する情報を保存する。さらに詳細に説明すれば、ＥＳＳステーションテーブル３３は、ＢＳＳのそれぞれの通信を管理する移動ノードのＢＳＳステーションテーブルからＭＳ１〜８  ２０１〜２０８に関する情報を収集し、このように収集された情報を保存する。
【００３９】
図４は、図３に示すＥＳＳステーションテーブル３４を詳細に示す図である。図４に示すように、ＥＳＳステーションテーブル３４は、ＭＳ１  ２０１のＭＡＣアドレス、ＭＳ２  ２０２のＭＡＣアドレス、及びＭＳ３  ２０３のＭＡＣアドレスとＭＮ１  ２１のＭＡＣアドレスとが相互対応して記録されたエントリ４１を含む。これは、ＭＳ１  ２０１、ＭＳ２  ２０２、及びＭＳ３  ２０３を管理する移動ノードは、ＭＮ１  ２１であるということを反映したものである。
【００４０】
また、ＥＳＳステーションテーブル３４は、ＭＳ４  ２０４のＭＡＣアドレス、ＭＳ５  ２０５のＭＡＣアドレス、及びＭＳ６  ２０６のＭＡＣアドレスとＭＮ５  ２５のＭＡＣアドレスとが相互対応して記録されたエントリ４２を含む。これは、ＭＳ４  ２０４、ＭＳ５  ２０５、及びＭＳ６  ２０６を管理する移動ノードは、ＭＮ５  ２５であるということを反映したものである。
【００４１】
また、ＥＳＳステーションテーブル３４は、ＭＳ７  ２０７のＭＡＣアドレス、及びＭＳ８  ２０８のＭＡＣアドレスとＭＮ６  ２６のＭＡＣアドレスとが相互対応して記録されたエントリ４３を含む。これは、ＭＳ７  ２０７及びＭＳ８  ２０８を管理する移動ノードは、ＭＮ６  ２６であるということを反映したものである。
【００４２】
アドレス獲得部３５は、ＥＳＳステーションテーブル３４の移動ステーションのＭＡＣアドレスと移動ノードのＭＡＣアドレスとの対応関係を参照して、無線ＬＡＮフレーム処理部３３で生成された無線ＬＡＮフレームに含まれた目的地移動ステーションのＭＡＣアドレスから、目的地移動ステーションが位置したＢＳＳの通信を管理する移動ノードのＭＡＣアドレスを獲得する。例えば、目的地移動ステーションがＭＳ８  ２０８であれば、アドレス獲得部３５は、ＥＳＳステーションテーブル３４の移動ステーションのＭＡＣアドレスと移動ノードのＭＡＣアドレスとの対応関係を参照して、ＭＳ８  ２０８のＭＡＣアドレスと対応する移動ノードのＭＡＣアドレスがＭＮ６  ２０６のＭＡＣアドレスであるということを確認する。
【００４３】
カプセル化部３６は、無線ＬＡＮフレーム処理部３３で生成された無線ＬＡＮフレームに含まれた移動ステーションのＭＡＣアドレスに、アドレス獲得部３５により獲得された移動ノードのＭＡＣアドレスを付加することによって、無線ＬＡＮフレーム処理部３３から伝送されたフレームに含まれた移動ステーションのＭＡＣアドレスをカプセル化する。例えば、目的地移動ステーションがＭＳ８  ２０８であれば、カプセル化部３６は、無線ＬＡＮフレーム処理部３３で生成された無線ＬＡＮフレームに含まれたＭＳ８  ２０８のＭＡＣアドレスに、アドレス獲得部３５により獲得されたＭＮ６  ２０６のＭＡＣアドレスを付加することによってＭＳ８  ２０８のＭＡＣアドレスをカプセル化する。
【００４４】
これにより、カプセル化部３６によりカプセル化されたＭＳ８  ２０８のＭＡＣアドレスは、無線メッシュ網フレームを受信した移動ノードが無線メッシュ網を通じて無線メッシュ網フレームを伝送する場合、この移動ノードによっては参照されない。この移動ノードは、ＭＮ１  ２１とＭＮ６  ２６との間の移動ノードのうち何れか一つであるであろう。カプセル化部３６によりカプセル化されたＭＳ８  ２０８のＭＡＣアドレスは、無線メッシュ網フレームを受信した移動ノードがＢＳＳを通じて移動ステーションに、この無線メッシュ網フレームから変換された無線ＬＡＮフレームを伝送する場合には、ＭＮ６  ２０６によって参照される。
【００４５】
図５は、本発明の望ましい一実施形態に係る無線メッシュ網フレームのフォーマットを示す図である。図５に示すように、本実施形態に係る無線メッシュ網フレームは、フレーム制御フィールド、区間フィールド、アドレス１フィールド５１、アドレス２フィールド５２、アドレス３フィールド５３、順序フィールド、アドレス４フィールド５４、アドレス５フィールド５５、アドレス６フィールド５６、データフィールド、及びチェックサムフィールドから構成される。
【００４６】
アドレス１フィールド５１には、次のホップのＭＡＣアドレスが記録される。アドレス２フィールド５２には、現在ホップのＭＡＣアドレスが記録される。アドレス３フィールド５３には、目的地移動ノードのＭＡＣアドレスが記録される。アドレス４フィールド５４には、発信地移動ノードのＭＡＣアドレスが記録される。アドレス５フィールド５５には、目的地移動ステーションのＭＡＣアドレスが記録される。アドレス６フィールド５６には、発信地移動ステーションのＭＡＣアドレスが記録される。
【００４７】
すなわち、カプセル化部３６は、目的地移動ステーションのＭＡＣアドレスが記録されたアドレス５フィールド５５及び発信地移動ステーションのＭＡＣアドレスが記録されたアドレス６フィールド５６に、次のホップのＭＡＣアドレスが記録されたアドレス１フィールド５１、現在ホップのＭＡＣアドレスが記録されたアドレス２フィールド５２、目的地移動ノードのＭＡＣアドレスが記録されたアドレス３フィールド５３、発信地移動ノードのＭＡＣアドレスが記録されたアドレス４フィールド５４を付加することによって、無線ＬＡＮフレーム処理部３３から伝送されたフレームに含まれた目的地移動ステーションのＭＡＣアドレス及び発信地移動ステーションのＭＡＣアドレスをカプセル化する。
【００４８】
フレーム制御フィールドは、バージョンフィールド、タイプフィールド、サブタイプフィールド、ＴｏＤＳフィールド５７、ＦｒｏｍＤＳフィールド５８、モアフラッグフィールド、リトライフィールド、Ｐｗｒフィールド、モアデータフィールド、ＷＥＰフィールド、及び順序フィールドから構成される。
【００４９】
移動ステーションから受信された無線メッシュ網フレームのＴｏＤＳフィールド５７の値は１であり、ＦｒｏｍＤＳフィールド５８の値は０である。一方、移動ステーションに伝送される無線メッシュ網フレームのＴｏＤＳフィールド５７の値は０であり、ＦｒｏｍＤＳフィールド５８の値は１である。
【００５０】
ルーティング部３７は、ルーティングプロトコルによって無線メッシュ網での次のホップを決定する。ルーティングプロトコルは、発信地と目的地との間の多様な経路のうち最適の経路を選択するためのプロトコルである。有線通信環境の第３階層で使用される既存の代表的なルーティングプロトコルとしては、ＲＩＰ（Ｒｏｕｔｉｎｇ  Ｉｎｆｏｒｍａｔｉｏｎ  Ｐｒｏｔｏｃｏｌ）、ＯＳＰＦ（Ｏｐｅｎ  Ｓｈｏｒｔｅｓｔ  Ｐａｔｈ  Ｆｉｒｓｔ）、ＢＧＰ（Ｂｏｒｄｅｒ  Ｇａｔｅｗａｙ  Ｐｒｏｔｏｃｏｌ）などが挙げられる。
【００５１】
フォワーディングテーブル３８は、目的地移動ノードのＭＡＣアドレス、及びルーティング部３７により決定された次のホップに該当する移動ノードのＭＡＣアドレスを保存する。すなわち、フォワーディングテーブル３８は、目的地移動ノードのＭＡＣアドレスと、この移動ノードに到達するための最適の経路による次のホップ移動ノードのＭＡＣアドレスとが相互対応して保存されたエントリを含む。
【００５２】
無線メッシュ網フレーム処理部３９は、無線メッシュ網フレーム送受信部３１０に受信された無線メッシュ網フレームを分析し、この分析結果に基づいて無線メッシュ網フレームを処理するか、またはカプセル化部３６によりカプセル化された無線ＬＡＮフレームから無線メッシュ網送受信部３１０により伝送される無線メッシュ網フレームを生成する。特に、本実施形態での無線メッシュ網フレーム処理部３９は、フォワーディングテーブル３８の次のホップ情報を参照して、カプセル化部３６によりカプセル化された無線ＬＡＮフレームからルーティング部３７により決定された次のホップに該当する移動ノードに伝送される無線メッシュ網フレームを生成する。
【００５３】
無線メッシュ網送受信部３１０は、ルーティング部３７により決定された次のホップに該当する移動ノードに、無線メッシュ網フレーム処理部３９で生成された無線メッシュ網フレームを伝送する。すなわち、無線メッシュ網送受信部３１０は、アドレス獲得部３５により獲得された移動ノードのＭＡＣアドレスを使用することによって、無線メッシュ網を通じて移動ステーションを目的地とするフレームを伝送する。
【００５４】
図６は、本発明の望ましい一実施形態に係る無線メッシュ網フレームの中継装置の構成図である。図６に示すように、本実施形態に係る無線メッシュ網フレームの中継装置は、ＭＮ３  ２３に搭載され、無線メッシュ網モジュール２３１のみから構成される。前述したように、無線メッシュ網モジュール２３１は、無線メッシュ網でのノードとしての役割を行うための機能を支援する。
【００５５】
無線メッシュ網モジュール２３１は、無線メッシュ網送受信部６１、無線メッシュ網フレーム処理部６２、ルーティング部６３、及びフォワーディングテーブル６４から構成される。
【００５６】
無線メッシュ網送受信部６１は、移動ステーションが位置したＢＳＳの通信を管理する移動ノードのＭＡＣアドレスを参照することによって、無線メッシュ網を通じて移動ステーションを目的地とする無線メッシュ網フレームを受信する。目的地移動ステーションがＭＳ８  ２０８であれば、無線メッシュ網送受信部６１は、ＭＳ８  ２０８が位置したＢＳＳの通信を管理するＭＮ６  ２６のＭＡＣアドレスを参照することによって、無線メッシュ網を通じてＭＳ８  ２０８を目的地とする無線メッシュ網フレームを受信する。
【００５７】
前述したように、ＭＳ８  ２０８のＭＡＣアドレスは、移動ノードのＭＡＣアドレスによりカプセル化されている。したがって、無線メッシュ網送受信部６１は、ＭＳ８  ２０８のＭＡＣアドレスを参照せず、無線メッシュ網を通じてＭＳ８  ２０８を目的地とする無線メッシュ網フレームを受信する。ＭＳ８  ２０８のＭＡＣアドレスは、無線メッシュ網フレームを受信したＭＮ６  ２６がＢＳＳを通じてＭＳ８  ２０８に、この無線メッシュ網フレームから変換された無線ＬＡＮフレームを伝送する場合には、ＭＮ６  ２０６により参照される。
【００５８】
また、無線メッシュ網送受信部６１は、ルーティング部６３により決定された次のホップに該当する移動ノードに、無線メッシュ網フレーム処理部６２で生成された無線メッシュ網フレームを伝送する。すなわち、無線メッシュ網送受信部５２は、無線メッシュ網送受信部６１に受信された無線メッシュ網フレームに含まれた移動ノードのＭＡＣアドレスを使用することによって、無線メッシュ網を通じて移動ステーションを目的地とする無線メッシュ網フレームを伝送する。例えば、目的地移動ステーションがＭＳ８  ２０８であれば、無線メッシュ網送受信部５２は、無線メッシュ網送受信部６１に受信された無線メッシュ網フレームに含まれた移動ノード６  ２６のＭＡＣアドレスを使用することによって、無線メッシュ網を通じてＭＳ８  ２０８を目的地とする無線メッシュ網フレームを伝送する。
【００５９】
無線メッシュ網フレーム処理部６２は、無線メッシュ網送受信部６１に受信された無線メッシュ網フレームを分析し、この分析結果に基づいて無線メッシュ網フレームを処理するか、または無線メッシュ網送受信部６１により伝送される無線メッシュ網フレームを生成する。特に、本実施形態での無線メッシュ網フレーム処理部６２は、フォワーディングテーブル６４を参照して、無線メッシュ網送受信部６１に受信された無線メッシュ網フレームの目的地が自身ではない他の移動ノードであるということを確認する。また、本実施形態での無線メッシュ網フレーム処理部６２は、フォワーディングテーブル６４の次のホップ情報を参照して、無線メッシュ網送受信部６１により伝送される無線メッシュ網フレームを生成する。
【００６０】
ルーティング部６３は、ルーティングプロトコルによって無線メッシュ網での次のホップを決定する。
【００６１】
フォワーディングテーブル６４は、目的地移動ノードのＭＡＣアドレスと、ルーティング部６３により決定された次のホップに該当する移動ノードのＭＡＣアドレスとを保存する。すなわち、フォワーディングテーブル６４は、目的地移動ノードのＭＡＣアドレスと、この移動ノードに到達するための最適の経路による次のホップ移動ノードのＭＡＣアドレスとが相互対応して保存されたエントリを含む。
【００６２】
図７は、本発明の望ましい一実施形態に係る無線メッシュ網フレームの受信装置の構成図である。図７に示すように、本実施形態に係る無線メッシュ網フレームの受信装置は、ＭＮ６  ２６に搭載され、無線メッシュ網モジュール２６１及び無線ＬＡＮモジュール２６２から構成される。前述したように、無線メッシュ網モジュール２６１は、無線メッシュ網でのノードとしての役割を行うための機能を支援し、無線ＬＡＮモジュール２６２は、ＭＮ６  ２６が位置した無線ＬＡＮの通信を管理するアクセスポイントとしての役割を行うための機能を支援する。
【００６３】
無線メッシュ網モジュール２６１は、無線メッシュ網送受信部７１、無線メッシュ網フレーム処理部７２、ＥＳＳステーションテーブル７３、及び逆カプセル化部７４から構成される。
【００６４】
無線メッシュ網送受信部７１は、ある移動ステーションが位置したＢＳＳの通信を管理する移動ノードのＭＡＣアドレスを参照することによって、この移動ステーションを目的地とする無線メッシュ網フレームを無線メッシュ網を通じて受信する。目的地移動ステーションがＭＳ８  ２０８であれば、無線メッシュ網送受信部７１は、ＭＳ８  ２０８が位置したＢＳＳの通信を管理するＭＮ６  ２０６のＭＡＣアドレスを参照することによって、ＭＳ８  ２０８を目的地とする無線メッシュ網フレームを無線メッシュ網を通じて受信する。ＭＳ８  ２０８のＭＡＣアドレスは、ＭＮ６  ２６のＭＡＣアドレスによりカプセル化されているため、無線メッシュ網送受信部７１は、このようにカプセル化されたＭＳ８  ２０８のＭＡＣアドレスを参照せず、無線メッシュ網を通じて無線メッシュ網フレームを受信できる。
【００６５】
無線メッシュ網フレーム処理部７２は、無線メッシュ網送受信部７１に受信された無線メッシュ網フレームを分析し、この分析結果に基づいて無線メッシュ網フレームを処理するか、または無線メッシュ網送受信部７１により伝送される無線メッシュ網フレームを生成する。特に、本実施形態での無線メッシュ網フレーム処理部７２は、ＥＳＳステーションテーブル７３を参照して、無線メッシュ網送受信部７１に受信された無線メッシュ網フレームが目的地移動ステーションを管理する移動ノードに到着したことを確認する。
【００６６】
例えば、目的地移動ステーションがＭＳ８  ２０８であれば、無線メッシュ網フレーム処理部７２は、ＥＳＳステーションテーブル７３のエントリのうち、ＭＳ７  ２０７のＭＡＣアドレス、及びＭＳ８  ２０８のＭＡＣアドレスと、ＭＮ６  ２６のＭＡＣアドレスとが相互対応して記録されたエントリ４３を参照して、無線メッシュ網送受信部７１に受信された無線メッシュ網フレームが目的地ＭＳ８  ２０８を管理するＭＮ６  ２６に到着したことを確認する。
【００６７】
ＥＳＳステーションテーブル７３は、本実施形態での全てのＢＳＳの集合であるＥＳＳに属するＭＳ１〜８  ２０１〜２０８に関する情報を保存する。さらに詳細に説明すれば、ＥＳＳステーションテーブル７３は、ＢＳＳのそれぞれの通信を管理する移動ノードのＢＳＳステーションテーブルからＭＳ１〜８  ２０１〜２０８に関する情報を収集し、このように収集された情報を保存する。
【００６８】
逆カプセル化部７４は、無線メッシュ網フレーム処理部７２により目的地移動ステーションを管理する移動ノードに到着したことが確認された無線メッシュ網フレームの移動ステーションのＭＡＣアドレスに付加された移動ノードのＭＡＣアドレスを除去することによって、移動ステーションのＭＡＣアドレスを逆カプセル化する。
【００６９】
例えば、目的地移動ステーションがＭＳ８  ２０８であれば、逆カプセル化部７４は、無線メッシュ網フレーム処理部７２によりＭＳ８  ２０８を管理するＭＮ６  ２６に到着したことが確認された無線メッシュ網フレームのＭＳ８  ２０８のＭＡＣアドレスに付加されたＭＮ６  ２６のＭＡＣアドレスを除去することによって、ＭＳ８  ２０８のＭＡＣアドレスを逆カプセル化する。逆カプセル化部７４により逆カプセル化されたＭＳ８  ２０８のＭＡＣアドレスは、無線メッシュ網フレームを受信したＭＮ６  ２６が、無線ＬＡＮを通じてＭＳ８  ２０８に無線メッシュ網フレームから変換された無線ＬＡＮフレームを伝送する場合に、ＭＮ６  ２６により参照される。
【００７０】
無線ＬＡＮモジュール２６２は、ＢＳＳステーションテーブル７５、無線ＬＡＮフレーム処理部７６、及び無線ＬＡＮ送受信部７７から構成される。
【００７１】
ＢＳＳステーションテーブル７５は、ＭＮ６  ２６が管理するＢＳＳに属するＭＳ７〜８  ２０７〜２０８に関する情報を保存する。ＭＳ７〜８  ２０７〜２０８に関する情報の代表的な例として、ＭＳ７〜８  ２０７〜２０８のＭＡＣアドレスが挙げられる。さらに詳細に説明すれば、ＢＳＳステーションテーブル７５は、無線ＬＡＮフレーム処理部７６により認証及び結合に関連したものと分析された無線ＬＡＮフレームからＭＳ１〜３  ２０１〜２０３に関する情報を獲得し、このように獲得された情報を保存する。
【００７２】
無線ＬＡＮフレーム処理部７６は、無線ＬＡＮフレーム送受信部７１に受信された無線ＬＡＮフレームを分析し、この分析結果に基づいて無線ＬＡＮフレームを処理するか、または逆カプセル化部７４により逆カプセル化された無線メッシュ網フレームから無線ＬＡＮ送受信部７１により伝送される無線ＬＡＮフレームを生成する。特に、本実施形態での無線ＬＡＮフレーム処理部７６は、ＢＳＳステーションテーブル７５の移動ステーション情報を使用して、逆カプセル化部７４により逆カプセル化された無線メッシュ網フレームから無線ＬＡＮ送受信部７１により伝送される無線ＬＡＮフレームを生成する。
【００７３】
無線ＬＡＮ送受信部７７は、目的地移動ステーションのＭＡＣアドレスを使用することによって、無線メッシュ網送受信部７１に受信された無線メッシュ網フレームから変換された無線ＬＡＮフレーム、すなわち、無線ＬＡＮフレーム処理部７６で生成された無線ＬＡＮフレームをＢＳＳを通じて目的地移動ステーションに伝送する。
【００７４】
図８は、図２に示す無線通信環境でのフォワーディングテーブルの一例を示す図である。図８に示すように、無線メッシュ網モジュール２１１，２２１，２３１，２４１，２５１，２６１のそれぞれは、フォワーディングテーブルを有している。無線ＬＡＮモジュール２１２，２５２，２６２のそれぞれは、ＢＳＳステーションテーブルを有しており、図８に示されていないが、ＥＳＳステーションテーブルも有している。
【００７５】
図８に示すフォワーディングテーブルを参照して、ＭＳ１  ２０１がＭＳ８  ２０８に無線ＬＡＮフレームを伝送する場合を説明する。以下、図５に示すように、無線メッシュ網フレームのＭＡＣアドレスを（次のホップアドレス、現在ホップアドレス、目的地移動ノードアドレス、発信地移動ノードアドレス（目的地移動ステーションアドレス、発信地移動ステーションアドレス））のフォーマットで表す。
【００７６】
まず、ＭＮ１  ２１は、ＭＳ１  ２０１からＩＥＥＥ  ８０２.１１の無線ＬＡＮの規格上のＴｏＤＳ無線ＬＡＮフレームフォーマットによる（移動ノードアドレス、発信地移動ステーションアドレス、目的地移動ステーションアドレス）、すなわち（ＭＮ１、ＭＳ１、ＭＳ３）であるＭＡＣアドレスを含む無線ＬＡＮフレームを受信し、これから（ＭＮ３、ＭＮ１、ＭＮ６、ＭＮ１（ＭＳ８、ＭＳ１））であるＭＡＣアドレスを含む無線メッシュ網フレームを生成し、これを無線メッシュ網を通じて伝送する。
【００７７】
次いで、次のホップに該当するＭＮ３  ２３で無線メッシュ網フレームのＭＡＣアドレスは、（ＭＮ３、ＭＮ１、ＭＮ６、ＭＮ１、（ＭＳ８、ＭＳ１））から（ＭＮ６、ＭＮ３、ＭＮ６、ＭＮ１、（ＭＳ８、ＭＳ１））に変換される。
【００７８】
次いで、次のホップに該当するＭＮ６  ２６は、（ＭＮ６、ＭＮ３、ＭＮ６、ＭＮ１、（ＭＳ８、ＭＳ１））であるＭＡＣアドレスを含む無線メッシュ網フレームを受信し、ＩＥＥＥ  ８０２.１１の無線ＬＡＮの規格上のＦｒｏｍＤＳ無線ＬＡＮフレームフォーマットによって（目的地移動ステーションアドレス、移動ノードアドレス、発信地移動ステーションアドレス）、すなわち（ＭＳ８、ＭＮ６、ＭＳ１）であるＭＡＣアドレスを含む無線ＬＡＮフレームを生成し、これを無線ＬＡＮを通じて伝送する。
【００７９】
図９は、本発明の望ましい一実施形態に係る無線メッシュ網フレームの伝送方法を示すフローチャートである。図９に示すように、本実施形態に係る無線メッシュ網フレームの伝送方法は、次のようなステップで構成される。本実施形態に係る無線メッシュ網フレームの伝送方法は、図３に示す無線メッシュ網フレームの伝送装置で時系列的に処理されるステップで構成される。したがって、以下に省略された内容であっても、図３に示す無線メッシュ網フレームの伝送装置について前述した内容は、本実施形態に係る無線メッシュ網フレームの伝送方法にも適用される。
【００８０】
ステップ９１でＭＮ１  ２１は、自身が管理するＭＳ１〜３  ２０１〜２０３から無線ＬＡＮフレームを受信する。
【００８１】
ステップ９２でＭＮ１  ２１は、ＢＳＳステーションテーブル３２の移動ステーション情報を参照して、ステップ９１で受信された無線ＬＡＮフレームから目的地移動ステーションに伝送される無線ＬＡＮフレームを生成する。
ステップ９３でＭＮ１  ２１は、ＥＳＳステーションテーブル３４の移動ステーションのＭＡＣアドレスと移動ノードのＭＡＣアドレスとの対応関係を参照して、ステップ９２で生成された無線ＬＡＮフレームに含まれた目的地移動ステーションのＭＡＣアドレスから、目的地移動ステーションが位置したＢＳＳの通信を管理する移動ノードのＭＡＣアドレスを獲得する。
【００８２】
ステップ９４でＭＮ１  ２１は、ステップ９２で生成された無線ＬＡＮフレームに含まれた移動ステーションのＭＡＣアドレスに、ステップ９３で獲得された移動ノードのＭＡＣアドレスを付加することによって、ステップ９２で生成された無線ＬＡＮフレームに含まれた移動ステーションのＭＡＣアドレスをカプセル化する。
【００８３】
ステップ９５でＭＮ１  ２１は、ルーティングプロトコルによって無線メッシュ網での次のホップを決定する。
【００８４】
ステップ９６でＭＮ１  ２１は、フォワーディングテーブル３８の次のホップ情報を参照して、ステップ９４でカプセル化された無線ＬＡＮフレームから、ステップ９５で決定された次のホップに該当する移動ノードに伝送される無線メッシュ網フレームを生成する。
【００８５】
ステップ９７でＭＮ１  ２１は、ステップ９５で決定された次のホップに該当する移動ノードに、ステップ９６で生成された無線メッシュ網フレームを伝送する。
【００８６】
図１０は、本発明の望ましい一実施形態に係る無線メッシュ網フレームの中継方法を示すフローチャートである。図１０に示すように、本実施形態に係る無線メッシュ網フレームの中継方法は、次のようなステップで構成される。本実施形態に係る無線メッシュ網フレームの中継方法は、図６に示す無線メッシュ網フレームの中継装置で時系列的に処理されるステップで構成される。したがって、以下に省略された内容であっても、図３に示す無線メッシュ網フレームの中継装置について前述した内容は、本実施形態に係る無線メッシュ網フレームの中継方法にも適用される。
【００８７】
ステップ１０１でＭＮ３  ２３は、ある移動ステーションが位置したＢＳＳの通信を管理する移動ノードのＭＡＣアドレスを参照することによって、無線メッシュ網を通じてこの移動ステーションを目的地とする無線メッシュ網フレームを受信する。
【００８８】
ステップ１０２でＭＮ３  ２３は、フォワーディングテーブル６４を参照して、ステップ１０１で受信された無線メッシュ網フレームの目的地が自身ではない他の移動ノードであるということを確認する。
【００８９】
ステップ１０３でＭＮ３  ２３は、ルーティングプロトコルによって無線メッシュ網での次のホップを決定する。
【００９０】
ステップ１０４でＭＮ３  ２３は、フォワーディングテーブル６４の次のホップ情報を参照して、ステップ１０３で決定された次のホップに該当する移動ノードに伝送される無線メッシュ網フレームを生成する。
【００９１】
ステップ１０５でＭＮ３  ２３は、ステップ１０３で決定された次のホップに該当する移動ノードに、ステップ１０４で生成された無線メッシュ網フレームを伝送する。
【００９２】
図１１は、本発明の望ましい一実施形態に係る無線メッシュ網フレームの受信方法を示すフローチャートである。図１１に示すように、本実施形態に係る無線メッシュ網フレームの受信方法は、次のようなステップで構成される。本実施形態に係る無線メッシュ網フレームの受信方法は、図７に示す無線メッシュ網フレームの受信装置で時系列的に処理されるステップで構成される。したがって、以下に省略された内容であっても、図７に示す無線メッシュ網フレームの受信装置について前述した内容は、本実施形態に係る無線メッシュ網フレームの受信方法にも適用される。
【００９３】
ステップ１１１でＭＮ６  ２６は、ある移動ステーションが位置したＢＳＳの通信を管理する移動ノードのＭＡＣアドレスを参照することによって、この移動ステーションを目的地とする無線メッシュ網フレームを無線メッシュ網を通じて受信する。
【００９４】
ステップ１１２でＭＮ６  ２６は、ＥＳＳステーションテーブル７３を参照して、ステップ１１１で受信された無線メッシュ網フレームが目的地移動ステーションを管理する移動ノードに到着したことを確認する。
【００９５】
ステップ１１３でＭＮ６  ２６は、ステップ１１２で目的地移動ステーションを管理する移動ノードに到着したことが確認された無線メッシュ網フレームの移動ステーションのＭＡＣアドレスに付加された移動ノードのＭＡＣアドレスを除去することによって、移動ステーションのＭＡＣアドレスを逆カプセル化する。
【００９６】
ステップ１１４でＭＮ６  ２６は、ＢＳＳステーションテーブル７５の移動ステーション情報を使用して、ステップ１１３で逆カプセル化された無線メッシュ網フレームから無線ＬＡＮ送受信部７１により伝送される無線ＬＡＮフレームを生成する。
【００９７】
ステップ１１５でＭＮ６  ２６は、目的地移動ステーションのＭＡＣアドレスを使用することによって、ステップ１１４で生成された無線ＬＡＮフレームをＢＳＳを通じて目的地移動ステーションに伝送する。
【００９８】
一方、前述した本発明の実施形態は、コンピュータで実行できるプログラムで作成可能であり、コンピュータで読み取り可能な記録媒体を利用して前記プログラムを動作させる汎用ディジタルコンピューターで具現され得る。また、前述した本発明の実施形態で使用されたデータの構造は、コンピュータで読み取り可能な記録媒体に複数の手段によって記録され得る。
【００９９】
前記コンピュータで読み取り可能な記録媒体は、マグネチック記録媒体（例えば、ＲＯＭ（リードオンリメモリ）、フロッピー（登録商標）ディスク、ハードディスク等）、光学的判読媒体（例えば、ＣＤ−ＲＯＭ、ＤＶＤ等）及びキャリアウェーブ（例えば、インターネットを介した伝送）のような記録媒体を含む。
【０１００】
以上、本発明についてその望ましい実施形態を中心に説明した。当業者は、本発明が本発明の本質的な特性から逸脱しない範囲で変形された形態で具現され得るということを理解できる。したがって、開示された実施形態は、限定的な観点ではなく説明的な観点で考慮されねばならない。本発明の範囲は、前述した説明ではなく、特許請求の範囲に示されており、それと同等な範囲内にある全ての差異点は、本発明に含まれたものと解釈されねばならない。
【産業上の利用可能性】
【０１０１】
本発明は、無線通信環境を構成する移動ステーション及びアクセスポイントの通信メカニズムに適用され得る。
【図面の簡単な説明】
【０１０２】
【図１】従来の無線通信環境を示す図である。
【図２】本発明の望ましい一実施形態に係る無線通信環境を示す図である。
【図３】本発明の望ましい一実施形態に係る無線メッシュ網フレームの伝送装置を示す構成図である。
【図４】図３に示すＥＳＳステーションテーブルを詳細に示す図である。
【図５】本発明の望ましい一実施形態に係る無線メッシュ網フレームのフォーマットを示す図である。
【図６】本発明の望ましい一実施形態に係る無線メッシュ網フレームの中継装置を示す構成図である。
【図７】本発明の望ましい一実施形態に係る無線メッシュ網フレームの受信装置を示す構成図である。
【図８】図２に示す無線通信環境でのフォワーディングテーブルの一例を示す図である。
【図９】本発明の望ましい一実施形態に係る無線メッシュ網フレームの伝送方法を示すフローチャートである。
【図１０】本発明の望ましい一実施形態に係る無線メッシュ網フレームの中継方法を示すフローチャートである。
【図１１】本発明の望ましい一実施形態に係る無線メッシュ網フレームの受信方法を示すフローチャートである。
【符号の説明】
【０１０３】
３１    無線ＬＡＮ送受信部
３２    ＢＳＳステーションテーブル
３３    無線ＬＡＮフレーム処理部
３４    ＥＳＳステーションテーブル
３５    アドレス獲得部
３６    カプセル化部
３７    ルーティング部
３８    フォワーディングテーブル
３９    無線メッシュ網フレーム処理部
２１１  無線メッシュ網モジュール
２１２  無線ＬＡＮモジュール
３１０  無線メッシュ網送受信部
【図１】
2006304301.tif 000003
【図２】
2006304301.tif 000004
【図３】
2006304301.tif 000005
【図４】
2006304301.tif 000006
【図５】
2006304301.tif 000007
【図６】
2006304301.tif 000008
【図７】
2006304301.tif 000009
【図８】
2006304301.tif 000010
【図９】
2006304301.tif 000011
【図１０】
2006304301.tif 000012
【図１１】
2006304301.tif 000013